【手続補正書】
【提出日】平成17年11月18日(2005.11.18)
【手続補正１】
【補正対象書類名】明細書
【補正対象項目名】発明の名称
【補正方法】変更
【補正の内容】
【発明の名称】画像処理装置および画像処理装置の制御方法
【手続補正２】
【補正対象書類名】明細書
【補正対象項目名】特許請求の範囲
【補正方法】変更
【補正の内容】
【特許請求の範囲】
【請求項１】  接続されている外部記憶装置から画像データ及びプリントジョブを読み出すデータ読み出し部と、
前記データ読み出し部を介して、前記外部記憶装置から読み出された前記プリントジョブの内容を解析する解析手段と、
前記解析手段の解析内容に応じて、前記プリントジョブに指定される画像データ及び当該画像データの属性情報を取得する取得手段と、
前記取得手段で取得された前記属性情報に応じて、前記画像データの画像特性を調整する調整手段と、
前記調整手段で調整された画像データをプリンタでプリントさせるプリント制御手段と、
を有することを特徴とする画像処理装置。
【請求項２】
前記属性情報に関するデータは、前記プリンタの特性に基づいて作成されることを特徴とする請求項１に記載の画像処理装置。
【請求項３】
前記取得手段は、前記属性情報の取得後に前記画像データを取得することを特徴とする請求項１ないし２のいずれか１項に記載の画像処理装置。
【請求項４】
前記取得手段は、１画像のプリント制御ごとに、前記属性データと前記画像データとを前記外部記憶装置から取得することを特徴とする請求項１ないし３のいずれか1項に記載の画像処理装置。
【請求項５】
前記属性情報を特定するための情報は前記プリントジョブ中に記載されていることを特徴とする請求項１ないし４のいずれか１項に記載の画像処理装置。
【請求項６】
前記属性情報は、色調整処理、または出力マスキング処理、またはγ変換処理の調整に関する情報であることを特徴とする請求項１ないし５のいずれか１項に記載の画像処理装置。
【請求項７】
接続されている外部記憶装置から画像データ及びプリントジョブを読み出すデータ読み出し工程と、
前記データ読み出し工程により、前記外部記憶装置から読み出された前記プリントジョブの内容を解析する解析工程と、
前記解析工程の解析内容に応じて、前記プリントジョブに指定される画像データ及び当該画像データの属性情報を取得する取得工程と、
前記取得工程で取得された前記属性情報に応じて、前記画像データの画像特性を調整する調整工程と、
前記調整工程で調整された画像データをプリンタでプリントさせるプリント制御工程を有することを特徴とする画像処理装置の制御方法。
【請求項８】
前記属性情報に関するデータは、前記プリンタの特性に基づいて作成されることを特徴とする請求項７に記載の画像処理装置の制御方法。
【請求項９】
前記取得工程は、前記属性情報の取得後に前記画像データを取得することを特徴とする請求項７ないし８のいずれか１項に記載の画像処理装置の制御方法。
【請求項１０】
前記取得工程は、１画像のプリント制御ごとに、前記属性データと前記画像データとを前記外部記憶装置から取得することを特徴とする請求項７ないし９のいずれか1項に記載の画像処理装置の制御方法。
【請求項１１】
前記属性情報を特定するための情報は前記プリントジョブ中に記載されていることを特徴とする請求項７ないし１１のいずれか１項に記載の画像処理装置の制御方法。
【請求項１２】
前記属性情報は、色調整処理、または出力マスキング処理、またはγ変換処理の調整に関する情報であることを特徴とする請求項７ないし１１のいずれか１項に記載の画像処理装置の制御方法。
【手続補正３】
【補正対象書類名】明細書
【補正対象項目名】０００１
【補正方法】変更
【補正の内容】
【０００１】
【発明の属する技術分野】
本発明は、接続されている外部記憶装置に記憶された画像データ等を読み出して所定の画像処理を行って印刷する画像処理装置および画像処理装置の制御方法に関するものである。
【手続補正４】
【補正対象書類名】明細書
【補正対象項目名】０００８
【補正方法】変更
【補正の内容】
【０００８】
本発明は、上記の問題点を解決するためになされたもので、本発明の目的は、データ読み出し部を介して、接続されている外部記憶装置から読み出されたプリントジョブの内容を解析し、該解析内容に応じて、プリントジョブに指定される画像データ及び当該画像データの属性情報を取得して、その取得された属性情報に応じて、画像データの画像特性を調整した後、該調整された画像データをプリンタでプリントさせることにより、外部記憶装置に記録された画像データをプリントするプリンタの色再現性に左右されることなく、外部記憶装置に記録された画像データの再現性を均一にすることが可能となり、従来のような外部記憶装置に記録された画像データの色再現性の調整処理のための操作負担を不要として、ユーザが意図する色調のプリント結果を速やかに得ることができるとともに、カラー出力される画像の品質を向上させることが可能となる仕組みを提供することである。
【手続補正５】
【補正対象書類名】明細書
【補正対象項目名】０００９
【補正方法】変更
【補正の内容】
【０００９】
【課題を解決するための手段】
本発明に係る第１の発明は、接続されている外部記憶装置から画像データ及びプリントジョブを読み出すデータ読み出し部と、前記データ読み出し部を介して、前記外部記憶装置から読み出された前記プリントジョブの内容を解析する解析手段と、前記解析手段の解析内容に応じて、前記プリントジョブに指定される画像データ及び当該画像データの属性情報を取得する取得手段と、前記取得手段で取得された前記属性情報に応じて、前記画像データの画像特性を調整する調整手段と、前記調整手段で調整された画像データをプリンタでプリントさせるプリント制御手段とを有することを特徴とする。
【手続補正６】
【補正対象書類名】明細書
【補正対象項目名】００１０
【補正方法】変更
【補正の内容】
【００１０】
本発明に係る第２の発明は、前記属性情報に関するデータは、前記プリンタの特性に基づいて作成されることを特徴とする。
【手続補正７】
【補正対象書類名】明細書
【補正対象項目名】００１１
【補正方法】変更
【補正の内容】
【００１１】
本発明に係る第３の発明は、前記取得手段は、前記属性情報の取得後に前記画像データを取得することを特徴とする。
【手続補正８】
【補正対象書類名】明細書
【補正対象項目名】００１２
【補正方法】変更
【補正の内容】
【００１２】
本発明に係る第４の発明は、前記取得手段は、１画像のプリント制御ごとに、前記属性データと前記画像データとを前記外部記憶装置から取得することを特徴とする。
【手続補正９】
【補正対象書類名】明細書
【補正対象項目名】００１３
【補正方法】変更
【補正の内容】
【００１３】
本発明に係る第５の発明は、前記属性情報を特定するための情報は前記プリントジョブ中に記載されていることを特徴とする。
【手続補正１０】
【補正対象書類名】明細書
【補正対象項目名】００１４
【補正方法】変更
【補正の内容】
【００１４】
本発明に係る第６の発明は、前記属性情報は、色調整処理、または出力マスキング処理、またはγ変換処理の調整に関する情報であることを特徴とする。
【手続補正１１】
【補正対象書類名】明細書
【補正対象項目名】００１５
【補正方法】変更
【補正の内容】
【００１５】
本発明に係る第７の発明は、接続されている外部記憶装置から画像データ及びプリントジョブを読み出すデータ読み出し工程と、前記データ読み出し工程により、前記外部記憶装置から読み出された前記プリントジョブの内容を解析する解析工程と、前記解析工程の解析内容に応じて、前記プリントジョブに指定される画像データ及び当該画像データの属性情報を取得する取得工程と、前記取得工程で取得された前記属性情報に応じて、前記画像データの画像特性を調整する調整工程と、前記調整工程で調整された画像データをプリンタでプリントさせるプリント制御工程を有することを特徴とする。
【手続補正１２】
【補正対象書類名】明細書
【補正対象項目名】００１６
【補正方法】変更
【補正の内容】
【００１６】
本発明に係る第８の発明は、前記属性情報に関するデータは、前記プリンタの特性に基づいて作成されることを特徴とする。
【手続補正１３】
【補正対象書類名】明細書
【補正対象項目名】００１７
【補正方法】変更
【補正の内容】
【００１７】
本発明に係る第９の発明は、前記取得工程は、前記属性情報の取得後に前記画像データを取得することを特徴とする。
【手続補正１４】
【補正対象書類名】明細書
【補正対象項目名】００１８
【補正方法】変更
【補正の内容】
【００１８】
本発明に係る第１０の発明は、前記取得工程は、１画像のプリント制御ごとに、前記属性データと前記画像データとを前記外部記憶装置から取得することを特徴とする。
【手続補正１５】
【補正対象書類名】明細書
【補正対象項目名】００１９
【補正方法】変更
【補正の内容】
【００１９】
本発明に係る第１１の発明は、前記属性情報を特定するための情報は前記プリントジョブ中に記載されていることを特徴とする。
【手続補正１６】
【補正対象書類名】明細書
【補正対象項目名】００２０
【補正方法】変更
【補正の内容】
【００２０】
本発明に係る第１２の発明は、前記属性情報は、色調整処理、または出力マスキング処理、またはγ変換処理の調整に関する情報であることを特徴とする。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】０１１７
【補正方法】変更
【補正の内容】
【０１１７】
【発明の効果】
以上説明したように、本発明によれば、データ読み出し部を介して、接続されている外部記憶装置から読み出されたプリントジョブの内容を解析し、該解析内容に応じて、プリントジョブに指定される画像データ及び当該画像データの属性情報を取得して、その取得された前記属性情報に応じて、画像データの画像特性を調整した後、該調整された画像データをプリンタでプリントさせるので、外部記憶装置に記録された画像データをプリントするプリンタの色再現性に左右されることなく、外部記憶装置に記録された画像データの再現性を均一にすることが可能となる。
また、従来のような外部記憶装置に記録された画像データの色再現性の調整処理のための操作負担が不要となるため、ユーザが意図する色調のプリント結果を速やかに得ることができるとともに、カラー出力される画像の品質を向上させることが可能となる。